(57)【特許請求の範囲】
【請求項１】
逆浸透膜を用いた逆浸透濾過部と、
前記逆浸透濾過部で濾過された浄水を少なくとも陰極室に導入してアルカリイオン水を生成する電解槽と、
前記逆浸透濾過部を通過した浄水の実浄水導電率を検知する浄水導電率センサと、
前記逆浸透濾過部の濃縮水排出口の開度を、前記浄水導電率センサが検知した実浄水導電率に基づいて調節する排水調節弁と、
予め設定した目的の水質を任意に選択する操作部と、
前記予め設定した目的の水質を記憶するとともに、当該予め設定した目的の水質に対応する浄水導電率を記憶する第１の記憶手段と、
前記操作部で選択した目的の水質に対応する浄水導電率と前記浄水導電率センサで検知された実浄水導電率とを比較する第１の比較演算手段と、
前記第１の比較演算手段の比較結果に基づいて前記排水調節弁の開度を調節する第１の制御手段と、
を備えることを特徴とする水処理装置。
【請求項２】
逆浸透膜を用いた逆浸透濾過部と、
前記逆浸透濾過部で濾過された浄水を少なくとも陰極室に導入してアルカリイオン水を生成する電解槽と、
前記逆浸透濾過部を通過した浄水の実浄水導電率を検知する浄水導電率センサと、
前記逆浸透濾過部の濃縮水排出口の開度を、前記浄水導電率センサが検知した実浄水導電率に基づいて調節する排水調節弁と、
前記逆浸透濾過部に導入される原水の実原水導電率を検知する原水導電率センサと、
予め設定した目的の水質を任意に選択する操作部と、
前記予め設定した目的の水質および予め設定した原水導電率を記憶するとともに、当該予め設定した原水導電率に対応する前記予め設定した目的の水質を生成可能な浄水導電率を記憶する第２の記憶手段と、
前記原水導電率センサで検知された実原水導電率と記憶された前記原水導電率とを比較して前記検知された実原水導電率と一致する前記原水導電率を選択するとともに、前記一致する原水導電率に対応する前記浄水導電率を呼び出し、前記浄水導電率センサで検知された実浄水導電率と前記呼び出した浄水導電率とを比較する第２の比較演算手段と、
前記第２の比較演算手段の比較結果に基づいて前記排水調節弁の開度を調節する第２の制御手段と、
を備えることを特徴とする水処理装置。
【請求項３】
逆浸透膜を用いた逆浸透濾過部と、
前記逆浸透濾過部で濾過された浄水を少なくとも陰極室に導入してアルカリイオン水を生成する電解槽と、
前記逆浸透濾過部に導入される原水の実原水導電率を検知する原水導電率センサと、
前記逆浸透濾過部の濃縮水排出口の開度を、前記原水導電率センサが検知した実原水導電率に基づいて調節する排水調節弁と、
予め設定した目的の水質を任意に選択する操作部と、
前記予め設定した目的の水質および予め設定した原水導電率を記憶するとともに、当該予め設定した原水導電率に対応する前記予め設定した目的の水質を生成可能な浄水導電率を実現させる前記排水調節弁の開度を記憶する第３の記憶手段と、
前記原水導電率センサで検知された実原水導電率と記憶された前記原水導電率とを比較する第３の比較演算手段と、
前記実原水導電率が該当する記憶された前記原水導電率に対応する前記予め設定した目的の水質を生成可能な浄水導電率を実現させる前記排水調節弁の開度を前記第３の記憶手段から呼び出し、前記呼び出した開度に基づいて前記排水調節弁の実開度を調節する第３の制御手段と、
を備えることを特徴とする水処理装置。
【請求項４】
前記水処理装置は、
前記逆浸透濾過部の濃縮水の一部を当該逆浸透濾過部の上流側に還元する循環路と、
前記循環路に設けられ、濃縮水を循環させる循環ポンプと、
を備えることを特徴とする請求項１〜３のうちいずれか１項に記載の水処理装置。
【請求項５】
前記浄水導電率センサが、前記電解槽の電極であることを特徴とする請求項１または請求項２に記載の水処理装置。
【請求項６】
前記水処理装置は、
前記浄水導電率センサにより検知された実浄水導電率が予め設定された導電率の範囲内となった際に、前記アルカリイオン水の水質が予め設定した所定の条件を満足したことを報知する水質報知手段を備えることを特徴とする請求項１または請求項２または請求項５に記載の水処理装置。
【請求項７】
前記水処理装置は、
予め設定された浄水導電率を記憶するとともに、当該浄水導電率に対応する電解槽の電解電圧を記憶する第４の記憶手段と、
前記浄水導電率センサで検知された実浄水導電率と記憶された前記浄水導電率とを比較演算する第４の比較演算手段と、
前記浄水導電率センサで検知された前記実浄水導電率が該当する前記記憶された前記浄水導電率に対応する電解電圧を前記電解槽の電極に印加する第４の制御手段と、
を備えることを特徴とする請求項１または請求項２または請求項５に記載の水処理装置。
【発明の詳細な説明】
【技術分野】
【０００１】
本発明は、水処理装置に関する。
【背景技術】
【０００２】
従来、水処理装置として、逆浸透膜や限外濾過膜を用いて濾過した水を電解槽に導入し、アルカリイオン水と酸性水を生成するようにしたものが知られている（例えば、特許文献１参照）。
【先行技術文献】
【特許文献】
【０００３】
【特許文献１】特開Ｈ０７−２８４７７２号公報
【発明の概要】
【発明が解決しようとする課題】
【０００４】
しかしながら、水を濾過する手段として逆浸透膜を用いた場合、水中のイオン除去率が高くなり、水の導電率が著しく下がってしまうため、電解槽での電解効率が低下してしまうという問題があった。
【０００５】
一方、限外濾過膜を用いた場合、水中のイオン除去率が低いため、水の導電率が低下してしまうのを抑制することはできるが、限外濾過膜を透過するイオンの量が多くなるため、電解槽の電極にスケールが発生し易くなってしまうという問題があった。
【０００６】
そこで、本発明は、電解槽での電解効率の向上を図りつつ、電極にスケールが発生してしまうのを抑制することのできる水処理装置を得ることを目的とする。
【課題を解決するための手段】
【０００７】
本発明にかかる水処理装置は、逆浸透膜を用いた逆浸透濾過部と、前記逆浸透濾過部で濾過された浄水を少なくとも陰極室に導入してアルカリイオン水を生成する電解槽と、前記逆浸透濾過部を通過した浄水の実浄水導電率を検知する浄水導電率センサと、前記逆浸透濾過部の濃縮水排出口の開度を、前記浄水導電率センサが検知した実浄水導電率に基づいて調節する排水調節弁と、予め設定した目的の水質を任意に選択する操作部と、前記予め設定した目的の水質を記憶するとともに、当該予め設定した目的の水質に対応する浄水導電率を記憶する第１の記憶手段と、前記操作部で選択した目的の水質に対応する浄水導電率と前記浄水導電率センサで検知された実浄水導電率とを比較する第１の比較演算手段と、前記第１の比較演算手段の比較結果に基づいて前記排水調節弁の開度を調節する第１の制御手段と、を備えることを主要な特徴とする。
【発明の効果】
【０００８】
本発明によれば、原水導電率センサや浄水導電率センサで逆浸透濾過部に導入される原水の実原水導電率および逆浸透濾過部を通過した浄水の実浄水導電率のうちいずれか一方の導電率を検知し、検知した値に基づいて逆浸透濾過部の濃縮水排出口の開度を排水調節弁で調節するようにしている。そのため、逆浸透膜を透過する浄水中に含まれるイオンの量が多くなりすぎたり少なくなりすぎたりしてしまうのを抑制することができる。すなわち、逆浸透膜を透過する浄水中に適量のイオンを含めることができるようになる。その結果、電解槽での電解効率の向上を図りつつ、電極にスケールが発生してしまうのを抑制することのできる水処理装置を得ることができる。
【図面の簡単な説明】
【０００９】
【図１】図１は、本発明の第１実施形態にかかる水処理装置の全体構成を模式的に示す図である。
【図２】図２は、本発明の第２実施形態にかかる水処理装置の全体構成を模式的に示す図である。
【図３】図３は、本発明の第３実施形態にかかる水処理装置の全体構成を模式的に示す図である。
【図４】図４は、本発明の第４実施形態にかかる水処理装置の全体構成を模式的に示す図である。
【図５】図５は、本発明の第５実施形態にかかる水処理装置の全体構成を模式的に示す図である。
【図６】図６は、本発明の第６実施形態にかかる水処理装置の全体構成を模式的に示す図である。
【図７】図７は、本発明の第７実施形態にかかる水処理装置の全体構成を模式的に示す図である。
【発明を実施するための形態】
【００１０】
以下、本発明の実施形態について図面を参照しつつ詳細に説明する。なお、以下では、ナノ濾過フィルタに導入される水（第１フィルタ、活性炭フィルタおよび第２フィルタを通過して濾過された水）についても原水として説明する。すなわち、本発明では、ナノ濾過フィルタに導入される水を原水と定義する。
【００１１】
また、以下の複数の実施形態には、同様の構成要素が含まれている。よって、以下では、それら同様の構成要素には共通の符号を付与するとともに、重複する説明を省略する。
【００１２】
（第１実施形態）
本実施形態にかかる水処理装置１は、図１に示すように、水道管などの原水配水管２に連結した原水導入口３ａから水道水などの原水が導入される給水路３を有している。この給水路３には、上流側から順に開閉弁４、第１フィルタ５、活性炭フィルタ６および第２フィルタ７が設置されている。なお、原水は水道水に限られるものではなく、井戸水や溜め水等であってもよい。
【００１３】
第１フィルタ５は、原水中の縣濁粒子を除去する機能を有している。活性炭フィルタ６は、原水中の溶存物質、たとえば臭味物質やフミン質などを除去するとともに、残留塩素を除去する機能を有している。第２フィルタ７は、第１フィルタ５で捕捉されない微細な縣濁微粒子を除去するとともに、上流側に設置された活性炭フィルタ６から漏出した微細な活性炭粒子を除去する機能を有している。すなわち、第２フィルタ７の孔径は第１フィルタ５の孔径よりも小さくなっている。
【００１４】
なお、第１および第２フィルタ５、７として、コットンなどの繊維を集水管に巻き付けたワインドタイプのものや焼結タイプのものを用いてもよく、細い繊維を積層した繊維タイプのものを用いてもよい。また、活性炭フィルタ６として、粒状活性炭をケースに収納したタイプのものや焼結タイプのものを用いてもよいし、繊維状炭タイプのものを用いてもよい。
【００１５】
さらに、第２フィルタ７の下流側には、原水給水弁８、昇圧ポンプ９および原水流量センサ１０がこれらの順に設置されている。そして、後述する操作パネル２３を操作して給水（アルカリイオン水）を選択し、水処理装置１を稼働させると、原水給水弁８が開弁して給水路３に原水が供給される。
【００１６】
そして、原水導入口３ａから給水路３内に導入された原水は、第１フィルタ５、活性炭フィルタ６および第２フィルタ７を通過して濾過される。
【００１７】
第１フィルタ５、活性炭フィルタ６および第２フィルタ７を通過して濾過された水は、原水給水弁８を通過して昇圧ポンプ９に至る。なお、原水給水弁８は、給水路３の途中のいずれかの位置に設置されていればよいが、第２フィルタ７の下流側に設置されているのが好ましい。こうすれば、原水給水弁８内部への異物の侵入を抑制することができるためである。
【００１８】
そして、給水路３の端末は、ＲＯ膜やＮＦ膜などの逆浸透膜を用いたナノ濾過フィルタ（逆浸透濾過部）１１に接続されている。この場合、ＲＯ膜よりもイオン除去率の低いＮＦ膜を逆浸透膜として用いるのが好適である。逆浸透膜としてＮＦ膜を用いることで、浄水中に含まれるイオンの量が極端に少なくなってしまうのを抑制することができ、後述する電解槽１７における浄水の電解効率の低下を抑制することができるようになるためである。
【００１９】
このナノ濾過フィルタ１１は、昇圧ポンプ９によって逆浸透圧をかけ、ナノ濾過フィルタ１１に送られた水分の一部を逆浸透膜を透過させることで浄水を生成するようにしたものである。なお、残りの水分、塩類や不純物（この不純物には有機物やイオンなどが含まれる）は、濃縮水として濃縮水排水路（濃縮水排出口）１２から排出されるようになっている。
【００２０】
濃縮水排水路１２は、途中に絞り弁１８が設けられた第１排水路１２ａと、排水調節弁２０が設けられた第２排水路１２ｂとに分岐している。なお、排水調節弁２０が最小開度時においても全閉とならない構造とすれば、濃縮水排水路１２を分岐させない構造とすることができる。
【００２１】
そして、ナノ濾過フィルタ１１を透過した浄水は浄水路１３へと供給される。浄水路１３には、上流側から順に浄水導電率センサ（浄水水質検知手段：原水水質検知手段および浄水水質検知手段のうち少なくともいずれか一方を有する水質検知手段）１４、浄水流量センサ１５および浄水給水弁１６が設置されており、さらに下流側となる浄水路１３の端末には電解槽１７が設置されている。
【００２２】
電解槽１７は、内部が隔膜１７ａによって仕切られており、一方が陰極１７ｂを有する陰極室１７ｃと、他方が陽極１７ｄを有する陽極室１７ｅとなっている。そして、浄水路１３の端末を分岐させ、一方の分岐路を陰極室１７ｃの入口に連通するとともに、他方の分岐路を陽極室１７ｅの入口に連通させている。
【００２３】
電解槽１７の陰極室１７ｃおよび陽極室１７ｅにそれぞれ導入された浄水は、陰極１７ｂと陽極１７ｄとの間に電圧を印加することで電気分解され、陰極室１７ｃではアルカリイオン水が生成されるとともに、陽極室１７ｅでは酸性水（次亜水）が生成される。
【００２４】
また、陰極室１７ｃの出口にはアルカリイオン水路１７ｆが連通されるとともに、陽極室１７ｅの出口には酸性水路１７ｇが連通されている。そして、陰極室１７ｃで生成されたアルカリイオン水は、アルカリイオン水路１７ｆを通り、水栓部２２のアルカリイオン水吐出口２２ａから外部に吐出されるようになっている。一方、陽極室１７ｅで生成された酸性水（次亜水）は、酸性水路１７ｇを通り水栓部２２の酸性水排出口２２ｂから外部に吐出されるようになっている。
【００２５】
そして、水栓部２２には、水処理装置１の駆動／停止やアルカリイオン水の吐水／停止を入力する操作パネル（操作部）２３が設けられている。
【００２６】
また、本実施形態では、水処理装置１には制御部２４が設けられており、原水給水弁８、昇圧ポンプ９、浄水給水弁１６および排水調節弁２０が、制御部２４から供給される指令信号（電力）により制御されている。また、原水流量センサ１０、浄水導電率センサ１４および浄水流量センサ１５の検知信号および操作パネル２２の操作信号が制御部２４に送られるようになっている。さらに、電解槽１７も制御部２４の指令信号によって駆動するようになっており、電解槽１７の陰極１７ｂおよび陽極１７ｄには、制御された電圧が印加されるようになっている。
【００２７】
また、本実施形態では、浄水導電率センサ（浄水水質検知手段）１４がナノ濾過フィルタ１１を透過した浄水の導電率を検知することで、浄水の水質（実浄水水質（ｐ））を検知するようにしている。この浄水導電率センサ１４によって検知された値は、制御部２４に送られる。そして、制御部２４が、送られてきた実浄水水質（ｐ）に基づいて排水調節弁２０に開度信号を送信し、ナノ濾過フィルタ１１の濃縮水排水路１２の開度を制御するようにしている。
【００２８】
また、本実施形態では、操作ボタンを押す等して操作パネル２３を操作することで、予め設定した水質の値の中から１つの値を任意に選択する（例えば、吐水したい処理水のｐＨを８．０、８．３、８．５等のうちから１つ選択する）ことができるようになっており、この操作パネル２３で選択可能な水質の値が制御部２４に組み込まれた第１の記憶手段Ｍ１に記憶されている。そして、記憶された水質の値に対応する浄水水質（ｐ０：例えば、電解槽１７での電気分解によってｐＨ８．５の処理水を生成するのに必要な浄水の導電率）も、制御部２４に組み込まれた第１の記憶手段Ｍ１に記憶されている。
【００２９】
なお、記憶した浄水導電率Ｐ０に対して、目的のアルカリイオン水のｐＨを得るために最適な電解電圧値Ｅ０を記憶させるようにしてもよい。
【００３０】
さらに、制御部２４には、選択した水質の値に対応する記憶された浄水水質（ｐ０）と実浄水水質（ｐ）とを比較する第１の比較演算手段ＣＰ１と、第１の比較演算手段ＣＰ１の比較結果に基づいて排水調節弁２０の開度を調節する第１の制御手段ＣＴ１と、が組み込まれている。
【００３１】
かかる構成の水処理装置１を、操作パネル２３でアルカリイオン水の吐出を選択（所望のｐＨのアルカリイオン水の吐出を選択）した状態で稼働させると、ナノ濾過フィルタ１１を透過した浄水が電解槽１７へと供給され、供給された浄水が電解槽１７内で電気分解されてアルカリイオン水と酸性水とが生成される。このとき、浄水導電率センサ１４は、ナノ濾過フィルタ１１を透過した実浄水導電率Ｐ（実浄水水質（ｐ））を検知し、そのデータ信号が制御部２４に送られる。
【００３２】
実浄水導電率Ｐのデータ信号が制御部２４に送られると、選択した水質の値に対応する浄水導電率Ｐ０（浄水水質（ｐ０））と検知された実浄水導電率Ｐとを比較演算手段ＣＰ１によって比較する。
【００３３】
そして、比較結果がＰ＞Ｐ０の場合は、第１の制御手段ＣＴ１によって排水調節弁２０の開度を大きくすることで、ナノ濾過フィルタ１７の濃縮水量を増加させるとともに、浄水流量を減少させて逆浸透膜にかかる圧力を減少させる。なお、ナノ濾過フィルタ１７は、浄水流量／原水流量の比が低下すると、イオンの除去率が上昇して浄水の導電率が低下するという特性を有している。したがって、排水調節弁２０の開度を大きくすると、実浄水導電率Ｐが低下し、実浄水導電率Ｐを予め設定した浄水導電率Ｐ０の値に近づけることができるようになる。
【００３４】
逆に、比較演算手段ＣＰ１による比較結果がＰ＜Ｐ０の場合には、排水調節弁２０の開度を絞ることで、ナノ濾過フィルタ１７の濃縮水量を減少させるとともに、逆浸透膜への圧力を上昇させ、浄水量を増加させる。このように、排水調節弁２０の開度を絞ると、ナノ濾過フィルタ１７の特性より、実浄水導電率Ｐが増加し、実浄水導電率Ｐを予め設定した浄水導電率Ｐ０の値に近づけることができるようになる。
【００３５】
また、比較結果がＰ＝Ｐ０の場合には、排水調節弁２０がその開度を維持するように制御する。
【００３６】
このように、第１の制御手段ＣＴ１により排水調節弁２０の開度を制御することで浄水の導電率がＰ＝Ｐ０となるように水質を調整することが可能となる。そして、所定の導電率となった浄水の流量を浄水流量センサ１５が検知すると、第１の制御手段ＣＴ１によって、排水調節弁２０が現在の開度を維持するように制御される。
【００３７】
この一連の動作により、電解槽１７には、ほぼ一定の導電率の浄水が導入されることとなり、陰極１７ｂと陽極１７ｄとの間に印加した電圧によって所定の電流が流れることとなる。そして、陰極室１７ｃには所望のｐＨ（選択した水質の値）のアルカリイオン水が安定して生成されることとなる。そして、このアルカリイオン水が水栓部２２のアルカリイオン水吐出口２２ａから吐出されることとなる。
【００３８】
なお、稼働状態にある水処理装置１は、操作パネル２３でアルカリイオン水の吐出停止を選択すると、制御部２４からの信号により、原水給水弁８および浄水給水弁１６を閉弁するとともに、昇圧ポンプ９を停止する。このとき、排水調節弁２０は、所定時間全開状態を維持して逆浸透膜にかかる圧力を常圧に戻し、その後に閉弁するようにしている。
【００３９】
また、電解槽１７の両電極１７ｂ、１７ｄへの電圧の印加も停止する。なお、この電圧停止時に、所定時間だけ逆の電位を両電極１７ｂ、１７ｄに印加して逆電解を行わせるようにすれば、陰極１７ｂに付着したスケールを除去することができるようになる。
【００４０】
さらに、水処理装置１を長時間使用しなかった場合には、通水開始時に電解槽１７を逆電解の状態で所定時間通水し、電乾燥１７よりも下流の浄水路１３を酸性水中に存在する次亜塩素酸で殺菌洗浄するようにするのが好ましい。
【００４１】
さらに、ナノ濾過フィルタ１１は、逆浸透膜の破損などによって高導電率の水が浄水路１３に侵入した場合、これを浄水導電率センサ１４で検知させ、制御部２４によって浄水給水弁１６を閉弁するとともに、電解槽１７への通電を停止させるようにするのが好ましい。
【００４２】
また、電解槽１７の電極１７ｂ、１７ｄへの通電は、排水調節弁２０の開度調節により、浄水導電率センサ１４が所定の導電率を検知してから行うようにするのが好ましい。
【００４３】
また、排水調節弁２０の開度を最大または最小にした場合でも実浄水導電率Ｐが選択した水質の値に対応する浄水導電率Ｐ０に該当しない場合には、制御部２４が水質異常と判断して、使用者に水質異常を報知する報知手段を水栓部２２の操作パネル２３近傍に設けるようにしてもよい。
【００４４】
以上、説明したように、本実施形態では、ナノ濾過フィルタ１１にイオン除去率の高い逆浸透膜を用い、浄水導電率センサ（浄水水質検知手段）１４でナノ濾過フィルタ（逆浸透濾過部）１１を通過した浄水の水質を検知し、検知した値に基づいてナノ濾過フィルタ（逆浸透濾過部）１１の濃縮水排水路（濃縮水排出口）１２の開度を排水調節弁２０で調節するようにしている。
【００４５】
そのため、有機物やコロイド粒子を効果的に取り除きつつ、逆浸透膜を透過する浄水中に含まれるイオンの量が多くなりすぎたり少なくなりすぎたりしてしまうのを抑制することができる。すなわち、逆浸透膜を透過する浄水中に適量のイオンを含めることができるようになる。
【００４６】
このように、有機物やコロイド粒子を効果的に取り除きつつ、浄水中に適量のイオンを含ませるようにすることで、適量のイオンを含む被電解水を電解槽１７にて電気分解させることができる。その結果、電解槽１７での電解効率の向上を図ることができ、所定の水質の電解水を得やすくすることができる。また、限外濾過膜を用いて浄水を生成した場合に比べ、イオンの透過量が増加してしまうのを抑制することもできるため、電解槽１７の陰極１７ｂにスケールが発生してしまうのを抑制することも可能となる。
【００４７】
以上より、本実施形態によれば、電解槽１７での電解効率の向上を図りつつ、電極（特に、陰極１７ｂ）にスケールが発生してしまうのを抑制することのできる水処理装置１を得ることができる。
【００４８】
また、本実施形態では、操作パネル（操作部）２３が、予め設定した水質を任意に選択できるようになっており、この操作パネル２３で選択可能な水質が制御部２４に組み込まれた第１の記憶手段Ｍ１に記憶されている。そして、記憶された水質に対応する浄水導電率Ｐ０（浄水水質（ｐ０））も、制御部２４に組み込まれた第１の記憶手段Ｍ１に記憶されている。
【００４９】
そして、制御部２４に第１の比較演算手段ＣＰ１および第１の制御手段ＣＴ１を設け、選択した水質の値に対応する記憶された浄水導電率Ｐ０（浄水水質（ｐ））を呼び出し、当該呼び出された浄水導電率Ｐ０（浄水水質（ｐ））と検知された実浄水導電率Ｐ（実浄水水質（ｐ））とを比較演算手段ＣＰ１によって比較している。具体的には、実浄水導電率Ｐが浄水導電率Ｐ０よりも大きい場合には、第１の制御手段ＣＴ１によって排水調節弁２０の開度を大きくし、実浄水導電率Ｐが浄水導電率Ｐ０よりも小さい場合には、第１の制御手段ＣＴ１によって排水調節弁２０の開度を絞るようにしている。
【００５０】
すなわち、本実施形態では、逆浸透膜の特性を利用して排水調節弁２０の開度を調節することで、実浄水導電率Ｐが選択した水質の値に対応する記憶された浄水導電率Ｐ０に近づくように制御している。
【００５１】
その結果、実浄水導電率Ｐをほぼ一定の値となるように制御することができ、ほぼ一定のｐＨのアルカリイオン水および酸性水をより安定して生成することができるようになる。このとき、浄水中の溶存イオンの量（濃度）を選択した水質を得るのに最適な量（濃度）とすることができ、電解槽１７での電解効率の向上を図りつつ、電極（特に、陰極１７ｂ）にスケールが発生してしまうのを抑制することのできる水処理装置１を得ることができるようになる。
【００５２】
また、操作パネル２３によって予め設定した水質を任意に選択することで、所望の水質を簡単に得ることができるようになり、水処理装置１の使い勝手をより向上させることができる。
【００５３】
なお、予め浄水導電率Ｐ０に対する電解電圧値Ｅ０が記憶されている場合には、制御手段２４が浄水導電率Ｐ０を呼び出す際に同時に電解電圧値Ｅ０を呼び出し、実際に電極１７ｂ、１７ｄに印加する実電解電圧値Ｅを、呼び出した電解電圧値Ｅ０に設定する。こうすれば、さらに正確なｐＨのアルカリイオン水を生成することが可能となる。
【００５４】
（第２実施形態）
本実施形態にかかる水処理装置１Ａは、図２に示すように、基本的に上記第１実施形態と同様の構成を備えている。
【００５５】
すなわち、本実施形態の水処理装置１Ａも、第１フィルタ５、活性炭フィルタ６および第２フィルタ７を通過して濾過された原水をナノ濾過フィルタ（逆浸透濾過部）１１に供給し、逆浸透膜を透過した浄水を電解槽１７に供給して電気分解を行うことで、アルカリイオン水および酸性水を得るようにしたものである。
【００５６】
ここで、本実施形態の水処理装置１Ａが、上記第１実施形態の水処理装置１と主に異なる点は、給水路３の原水流量センサ１０とナノ濾過フィルタ１１との間に、ナノ濾過フィルタ１１に導入される原水の水質を検知する原水導電率センサ（原水水質検知手段：原水水質検知手段および浄水水質検知手段のうち少なくともいずれか一方を有する水質検知手段）２５を設け、原水導電率センサ２５で検知した実原水水質（ｔ）に基づいて浄水の水質を制御するようにしたことにある。
【００５７】
すなわち、本実施形態の制御部２４には、予め設定した原水水質（ｔ０）を記憶するとともに、設定された原水水質（ｔ０）に対応する浄水水質（ｐ０）を記憶する第２の記憶手段Ｍ２と、実原水水質（ｔ）と原水水質（ｔ０）とを比較するとともに、実浄水水質（ｐ）と予め記憶された浄水水質（ｐ０）とを比較する第２の比較演算手段ＣＰ２と、この第２の比較演算手段ＣＰ２の比較結果に基づいて排水調節弁２０を開度調節する第２の制御手段ＣＴ２と、が設けられている。
【００５８】
本実施形態では、予め設定した複数の原水導電率Ｔ０（原水水質（ｔ０））を記憶するとともに、それぞれの原水導電率Ｔ０に対応する浄水導電率Ｐ０（浄水水質（ｐ０））を定め、それらを制御部２４内の第２の記憶手段Ｍ２に記憶させるようにしている。このとき、実際に使用されることが想定される地域の原水導電率Ｔ０の範囲において、所定の範囲を設けた複数の原水導電率Ｔ０を設定しておくことが好ましい。この原水導電率Ｔ０に対し、ナノ濾過フィルタ１１によって生成可能な浄水導電率Ｐ０は予め実験などによって予測することが可能であり、この予測される浄水導電率Ｐ０の中で最も効率良くアルカリイオン水を生成可能な浄水導電率Ｐ０をそれぞれの原水導電率Ｔ０に対して記憶させるようにするのが好ましい。
【００５９】
さらに、記憶した浄水導電率Ｐ０に対して、目的のアルカリイオン水のｐＨを得るために最適な電解電圧値Ｅ０を記憶させるようにしてもよい。
【００６０】
このような水処理装置１Ａにおいて、水栓部２２の操作パネル２３によってアルカリイオン水を選択し、水処理装置１を稼働させた場合には、制御部２４が原水給水弁８を開弁するとともに昇圧ポンプ９を駆動させ、電解槽１７の両電極１７ｂ、１７ｄ間に所定の電圧を印加する。
【００６１】
このとき、原水導電率センサ２５は、第１フィルタ５、活性炭フィルタ６および第２フィルタ７で濾過されナノ濾過フィルタ１１に導入される直前の原水の導電率（実原水導電率Ｔ）を検知する。
【００６２】
そして、第２の比較演算手段ＣＰ２は、検知された実原水導電率Ｔと予め記憶された原水導電率Ｔ０とを比較し、一致する原水導電率Ｔ０を選択するとともに、これに対応する値として記憶された浄水導電率Ｐ０を呼び出す。そして、この呼び出した浄水導電率Ｐ０と浄水導電率センサ１４で検知した実浄水導電率Ｐとを比較する。
【００６３】
第２の制御手段ＣＴ２は、第２の比較演算手段ＣＰ２の演算結果を受けて、Ｐ＞Ｐ０の場合には、排水調節弁２０の開度を大きくする。これにより、ナノ濾過フィルタ１１の濃縮水の排水量が増加するとともに浄水流量が減少し、逆浸透膜にかかる圧力が減少し、上記第１実施形態で述べたように、イオン除去率が上昇して浄水の導電率が低下する。
【００６４】
逆に、Ｐ＜Ｐ０の場合には、排水調節弁２０の開度を絞る。これにより、ナノ濾過フィルタ１７の濃縮水量が減少して逆浸透膜への圧力が上昇するため、浄水量が増加し、イオン除去率が低下して浄水の導電率が上昇する。比較結果がＰ＝Ｐ０の場合も同様に、排水調節弁２０がその開度を維持するように制御する。
【００６５】
この一連の動作により、実浄水導電率Ｐは記憶された浄水導電率Ｐ０となり、所望の導電率となった浄水が、所定の電圧を電極１７ｂ、１７ｄ間に印加した電解槽１７を通過する際に、所定のｐＨのアルカリイオン水が生成され、このアルカリイオン水が水栓部２２のアルカリイオン水吐出口２２ａから吐出することとなる。
【００６６】
以上の本実施形態によっても、上記第１実施形態と同様の作用、効果を奏することができる。
【００６７】
また、本実施形態によれば、ナノ濾過フィルタ１１に導入される原水の水質を検知する原水導電率センサ２５を設け、第２の記憶手段Ｍ２、第２の比較演算手段ＣＰ２および第２の制御手段ＣＴ２によって排水調節弁２０の開度を調節するようにしている。
【００６８】
すなわち、原水導電率センサ２５が、ナノ濾過フィルタ１１に導入される直前の原水の導電率（実原水導電率Ｔ）を検知するようにしている。
【００６９】
そして、第２の比較演算手段ＣＰ２が、検知された実原水導電率Ｔと予め記憶された原水導電率Ｔ０とを比較し、一致する原水導電率Ｔ０を選択するとともに、これに対応する値として記憶された浄水導電率Ｐ０を呼び出し、この呼び出した浄水導電率Ｐ０と浄水導電率センサ１４で検知した実浄水導電率Ｐとを比較するようにしている。
【００７０】
そして、呼び出した浄水導電率Ｐ０と浄水導電率センサ１４で検知した実浄水導電率Ｐとの比較結果に基づいて、排水調節弁２０の開度を調節するようにしている。
【００７１】
そのため、選択した水質に応じてナノ濾過フィルタ１１の濃縮水排出量を調節することとなり、浄水中の溶存イオンの量（濃度）を選択した水質を得るのに最適な量（濃度）とすることができる。
【００７２】
このように、本実施形態によれば、有機物などを含まずイオンを含む被電解水（浄水）が、電解するための最適な浄水水質となるように制御することが容易になり、より正確に所望の水質のアルカリイオン水および酸性水を得ることができるようになる。
【００７３】
このとき、実際に使用されることが想定される地域の原水導電率Ｔ０の範囲において、所定の範囲を設けた複数の原水導電率Ｔ０を設定するようにすれば、原水水質に地域差があったとしても、それぞれの地域で水処理装置１Ａを使用することができるようになり、水処理装置１Ａの設置場所に汎用性をもたせることができるという利点がある。
【００７４】
なお、予め浄水導電率Ｐ０に対する電解電圧値Ｅ０が記憶されている場合には、制御手段２４が浄水導電率Ｐ０を呼び出す際に同時に電解電圧値Ｅ０を呼び出し、実際に電極１７ｂ、１７ｄに印加する実電解電圧値Ｅを、呼び出した電解電圧値Ｅ０に設定する。こうすれば、さらに正確なｐＨのアルカリイオン水を生成することが可能となる。
【００７５】
（第３実施形態）
本実施形態にかかる水処理装置１Ｂは、図３に示すように、基本的に上記第２実施形態と同様の構成を備えている。
【００７６】
すなわち、本実施形態の水処理装置１Ｂも、第１フィルタ５、活性炭フィルタ６および第２フィルタ７を通過して濾過された原水をナノ濾過フィルタ（逆浸透濾過部）１１に供給し、逆浸透膜を透過した浄水を電解槽１７に供給して電気分解を行うことで、アルカリイオン水および酸性水を得るようにしたものである。
【００７７】
ここで、本実施形態の水処理装置１Ｂが、上記第２実施形態の水処理装置１Ａと主に異なる点は、制御部２４に、予め設定した原水水質（ｔ０）を記憶するとともに、設定した原水水質（ｔ０）に対応した排水調節弁２０の開度Ａ０を記憶する第３の記憶手段Ｍ３と、実原水水質（ｔ）と予め記憶された原水水質（ｔ０）とを比較する第３の比較演算手段ＣＰ３と、実原水水質（ｔ）に該当する記憶された原水水質（ｔ０）に対応した排水調節弁２０の開度Ａ０を第３の記憶手段ＣＰ３から呼び出し、その開度Ａ０に基づいて排水調節弁２０の実開度Ａを調節する第３の制御手段ＣＴ３と、を設けたことにある。
【００７８】
すなわち、本実施形態の水処理装置１Ｂでは、予め設定した複数の原水導電率Ｔ０（原水水質（ｔ０））に対応する排水調節弁２０の開度Ａ０を定め、制御部２４内の第３の記憶手段Ｍ３に記憶させておく。このとき、実際に使用されることが想定される地域の原水導電率Ｔ０の範囲において、所定の範囲を設けた複数の原水導電率Ｔ０を設定しておくことが好ましい。それぞれの原水導電率Ｔ０に対し、ナノ濾過フィルタ１１によって所望の浄水導電率Ｐ０となるための排水調節弁２０の開度Ａ０は、予め実験などによって予測することが可能である。
【００７９】
本実施形態では、記憶されたそれぞれの原水導電率Ｔ０に対し、最適の浄水導電率Ｐｂを実現させる排水調節弁２０の開度Ａｂを記憶させるようにしている。さらに、目的のアルカリイオン水のｐＨを得るために最適な電解電圧値Ｅ０を記憶させるようにしてもよい。
【００８０】
そして、水栓部２２の操作パネル２３によってアルカリイオン水を選択した場合には、制御部２４が原水給水弁８を開弁するとともに昇圧ポンプ９を駆動させて、電解槽１７の両電極１７ｂ、１７ｄ間に所定の電圧値を印加する。これにより、水処理装置１Ｂが稼働し、原水導電率センサ２５は、第１フィルタ５、活性炭フィルタ６および第２フィルタ７を通過して濾過され、ナノ濾過フィルタ１１に導入される直前の原水の導電率（実原水導電率Ｔ）を検知する。
【００８１】
第３の比較演算手段ＣＰ３は、検知された実原水導電率Ｔと予め記憶された原水導電率Ｔ０とを比較し、実原水導電率Ｔに対応する原水導電率Ｔ０を選択し、選択した原水導電率Ｔ０に対応する排水調節弁２０の開度Ａ０を呼び出す。そして、第３の制御手段ＣＴ３により、ナノ濾過フィルタ１１の排水調節弁２０の開度Ａを、呼び出した排水調節弁２０の開度Ａ０となるように信号を送って動作させる。
【００８２】
この一連の動作により、ナノ濾過フィルタ１１を通過した浄水の水質が記憶された浄水導電率Ｐ０となり、当該浄水が所定の電圧が電極１７ｂ、１７ｄ間に印加された電解槽１７を通過する際に、所定のｐＨのアルカリイオン水が生成され、水栓部２２のアルカリイオン水吐出口２２ａから吐出されることとなる。
【００８３】
なお、本実施形態では、浄水導電率センサ１４が設けられた水処理装置１Ｂを例示したが、浄水導電率センサ１４は設けなくてもよい。また、浄水導電率センサ１４を逆浸透膜の交換時期や故障等を判定するために用いるようにしてもよい。すなわち、それぞれの原水導電率Ｔ０に対応する排水調節弁２０の開度Ａ０とした際に、予測される浄水導電率Ｐ０を所定の範囲を有するように第３の記憶手段に記憶し、浄水導電率センサ１４が検知した実浄水導電率Ｐが記憶された浄水導電率Ｐ０の範囲に該当しない場合には、逆浸透膜の交換や洗浄が必要である旨を、報知手段等を設けることで使用者に知らせるようにしてもよい。
【００８４】
以上の本実施形態によっても、上記第２実施形態と同様の作用、効果を奏することができる。
【００８５】
また、本実施形態によれば、制御部２４に第３の記憶手段Ｍ３、第３の比較演算手段ＣＰ３および第３の制御手段ＣＴ３を設けている。そのため、原水導電率センサ２５によって検知された実原水導電率Ｔに基づいて排水調節弁２０の開度Ａを調節し、浄水の水質が予測される浄水導電率Ｐ０となるようにすることができる。すなわち、原水導電率センサ２５によって実原水導電率Ｔを検知するだけで、最適の排水調節弁２０の開度Ａに調節して、被電解水中の有機物やイオンを最適な濃度となるようにすることが可能となる。したがって、より短時間かつ高精度に、電解槽１７に導入される浄水を最適な浄水水質となるように制御することが可能となり、より正確に所定の水質の電解水を得ることができるようになる。
【００８６】
なお、本実施形態にあっても、予め浄水導電率Ｐ０に対する電解電圧値Ｅ０が記憶されている場合には、制御手段２４が浄水導電率Ｐ０を呼び出す際に同時に電解電圧値Ｅ０を呼び出し、実際に電極１７ｂ、１７ｄに印加する実電解電圧値Ｅを、呼び出した電解電圧値Ｅ０に設定する。こうすれば、さらに正確なｐＨのアルカリイオン水を生成することが可能となる。
【００８７】
また、上記第１実施形態の水処理装置１にあっても本実施形態を適用することが可能である。
【００８８】
（第４実施形態）
本実施形態にかかる水処理装置１Ｃは、図４に示すように、基本的に上記第２実施形態と同様の構成を備えている。
【００８９】
すなわち、本実施形態の水処理装置１Ｃも、第１フィルタ５、活性炭フィルタ６および第２フィルタ７を通過して濾過された原水をナノ濾過フィルタ（逆浸透濾過部）１１に供給し、逆浸透膜を透過した浄水を電解槽１７に供給して電気分解を行うことで、アルカリイオン水および酸性水を得るようにしたものである。
【００９０】
ここで、本実施形態の水処理装置１Ｃが、上記第２実施形態の水処理装置１Ａと主に異なる点は、ナノ濾過フィルタ１１の濃縮水の一部を循環させるようにしたことにある。
【００９１】
すなわち、本実施形態の水処理装置１Ｃは、ナノ濾過フィルタ１１の濃縮水の一部をナノ濾過フィルタ１１の上流側に還元する循環路２６と、この循環路２６に設けられ、濃縮水を循環させる循環ポンプ２７と、を備えている。
【００９２】
循環路２６は、濃縮水排水路１２の第１排水路１２ａと第２排水路１２ｂの分岐部（若しくはこの分岐部よりも上流側）と、ナノ濾過フィルタ１１の上流側の給水路３（本実施形態では、原水流量センサ１０と原水導電率センサ２５との間）とを連通している。また、循環ポンプ２７は、循環路２６の途中に設けられており、制御部２４から供給される指令信号（電力）により制御されるようになっている。
【００９３】
本実施形態では、循環路２６に、図示せぬ濃縮水流量センサを設け、循環させる濃縮水量を制御部２４にフィードバックできるようにするのが好ましい。こうすれば、濃縮水の循環流量をより精度良く制御することができるようになる。なお、濃縮水流量センサに代えて、循環ポンプ２７の駆動電流によってポンプ負荷を制御部２４にて検知し、これにより濃縮水の循環流量を推定するようにしてもよい。こうすれば、濃縮水流量センサを廃止することができる。
【００９４】
また、循環路２６には、給水管３から原水が濃縮水排水路１２に逆流するのを阻止するために逆止弁を設けておくのが好ましい。
【００９５】
本実施形態の水処理装置１Ｃの基本的動作は、上記第２実施形態で示した水処理装置１Ａと同様であり、制御部２４は、原水導電率センサ２５で検知した実原水導電率Ｔと予め記憶された原水導電率Ｔ０とを比較し、一致する原水導電率Ｔ０を選択するとともに、これに対応する値として記憶された浄水導電率Ｐ０を呼び出し、この呼び出した浄水導電率Ｐ０と浄水導電率センサ１４で検知した実浄水導電率Ｐとを比較するようにしている。
【００９６】
ここで、本実施形態では、循環路２６と循環ポンプ２７が設けられており、Ｐ＞Ｐ０の場合には、循環ポンプ２７を起動させて濃縮水をナノ濾過フィルタ１１の上流側に還元するようにしている。その結果、ナノ濾過フィルタ１１の逆浸透膜表面の見掛け上の流量が増加するため、逆浸透膜表面での除去成分の濃度が低い状態となる。なお、ナノ濾過フィルタ１１は、逆浸透膜表面近傍での除去成分濃度が低いほど浄水の導電率が低下するという特性を有している。したがって、循環ポンプ２７を起動させると、逆浸透膜表面での除去成分の濃度が低くなり、実浄水導電率Ｐが低下して実浄水導電率Ｐを予め設定した浄水導電率Ｐ０の値に近づけることができるようになる。
【００９７】
また、循環ポンプ２７の吐水能力が限界まで到達したことを、循環ポンプ２７の電流値により制御部２４が検知した場合には、制御部２４は循環ポンプ２７の吐水量を維持させつつ排水調節弁２０を開弁するようにしている。こうすれば、濃縮水の排水量が増加するため、ナノ濾過フィルタ１１の逆浸透膜に作用する逆浸透圧が低下し、透過する浄水量が減少する。そして、上述したように、ナノ濾過フィルタ１１は、浄水流量／原水流量の比が低下すると、イオン除去率が増加して浄水の導電率が低下するという特性を有している。したがって、循環ポンプ２７の吐水量を維持させつつ排水調節弁２０を開弁すれば、透過する浄水量が減少するため、実浄水導電率Ｐが低下して実浄水導電率Ｐを予め設定した浄水導電率Ｐ０の値に近づけることができるようになる。
【００９８】
逆に、Ｐ＜Ｐ０の場合には、排水調節弁２０の開度を絞るようにしている。こうすれば、濃縮水の排水量が減少するため、ナノ濾過フィルタ１１の逆浸透膜に作用する逆浸透圧が上昇し、透過する浄水量が増加する。そして、ナノ濾過フィルタ１１は、浄水流量／原水流量の比が上昇すると、イオン除去率が低下して浄水の導電率が上昇するという特性を有している。したがって、排水調節弁２０の開度を絞れば、ナノ濾過フィルタ１１の浄水流量／原水流量の比が上昇し、実浄水導電率Ｐが上昇して実浄水導電率Ｐを予め設定した浄水導電率Ｐ０の値に近づけることができるようになる。
【００９９】
また、Ｐ＝Ｐ０の場合には、循環ポンプ２７の吐出量と排水調節弁２０の開度を維持するように制御する。この場合、原水導電率Ｔ０に対する循環路２６を流れる濃縮水の循環流量Ｃ０を予め制御部２４に記憶させておくようにするのが好ましい。
【０１００】
以上の本実施形態によっても、上記第２実施形態と同様の作用、効果を奏することができる。
【０１０１】
また、本実施形態によれば、濃縮水の循環路２６と循環ポンプ２７とを設けたため、濃縮水の循環流量と排水量を調節することが可能となり、予め記憶された浄水導電率Ｐ０になるように被電解水中の有機物やイオンを最適な濃度まで低減させることができる。したがって、より幅広い水質に対して、濃縮水の排水量を著しく増加させることなく、適量のイオンを含む被電解水を電解するための最適な浄水の水質に制御することが可能となり、より正確に所望の水質の電解水を得ることができる。
【０１０２】
なお、予め原水導電率Ｔ０に応じて目的の浄水導電率Ｐ０を得るための循環ポンプ２７の循環流量Ｃ０に応じた駆動電圧値Ｐｖ０を記憶させるようにすれば、原水導電率センサ２５により検知した実原水導電率Ｔに応じて、記憶させた循環流量Ｃ０により短時間で合わせることができるようになる上、より迅速に目的の浄水導電率Ｐ０となるようにすることができる。
【０１０３】
また、上記第１および第３実施形態の水処理装置１，１Ｂにあっても、本実施形態を適用することが可能である。
【０１０４】
（第５実施形態）
本実施形態にかかる水処理装置１Ｄは、図５に示すように、基本的に上記第４実施形態と同様の構成を備えている。
【０１０５】
すなわち、本実施形態の水処理装置１Ｄも、第１フィルタ５、活性炭フィルタ６および第２フィルタ７を通過して濾過された原水をナノ濾過フィルタ（逆浸透濾過部）１１に供給し、逆浸透膜を透過した浄水を電解槽１７に供給して電気分解を行うことで、アルカリイオン水および酸性水を得るようにしたものである。
【０１０６】
ここで、本実施形態の水処理装置１Ｄが、上記第４実施形態の水処理装置１Ｃと主に異なる点は、電解槽１７で浄水の水質を検知するようにしたことにある。
【０１０７】
すなわち、本実施形態では、上記第４実施形態で設けられていた浄水導電率センサ１４を廃止して、電解槽１７の陰極１７ｂと陽極１７ｄとの間に掛かる電流値Ｉで実浄水導電率Ｐを検知するようにしている。
【０１０８】
具体的には、制御部２４が使用開始時から電解槽１７の電極１７ｂ、１７ｄ間に所定電圧値Ｅｓ０を印加し、そのときの電流値Ｉを検知することで、実浄水導電率Ｐを検知するようにしている。そして、制御部２４は、検知された実浄水導電率Ｐが予め記憶された浄水導電率Ｐ０となったことを検知すると、記憶させた浄水導電率Ｐ０に対応する電解電圧値Ｅ０を電極１７ｂ、１７ｄに印加する。
【０１０９】
以上の本実施形態によっても、上記第４実施形態と同様の作用、効果を奏することができる。
【０１１０】
また、本実施形態によれば、電解槽１７に所定の電圧値を印加したときの電極１７ｂ、１７ｄ間の電流値Ｉにより実浄水導電率Ｐを検知できるため、より簡素な構成で適量のイオンを含む被電解水を電解するための最適な浄水の水質に制御が可能となる。
【０１１１】
また、上記第１〜第３実施形態の水処理装置１、１Ａ、１Ｂにあっても、本実施形態を適用することが可能である。
【０１１２】
（第６実施形態）
本実施形態にかかる水処理装置１Ｅは、図６に示すように、基本的に上記第２実施形態と同様の構成を備えている。
【０１１３】
すなわち、本実施形態の水処理装置１Ｅも、第１フィルタ５、活性炭フィルタ６および第２フィルタ７を通過して濾過された原水をナノ濾過フィルタ（逆浸透濾過部）１１に供給し、逆浸透膜を透過した浄水を電解槽１７に供給して電気分解を行うことで、アルカリイオン水および酸性水を得るようにしたものである。
【０１１４】
ここで、本実施形態の水処理装置１Ｅが、上記第２実施形態の水処理装置１Ａと主に異なる点は、浄水伝導率センサ１４により検知された実浄水導電率Ｐが予め設定された水質（所望のｐＨを得ることができる導電率）の範囲内となった際に、アルカリイオン水の水質（例えば、ｐＨなど）が予め設定した所定の条件を満足したことを報知する水質報知手段２８を設けたことにある。
【０１１５】
本実施形態では、水処理装置１Ｅの水栓部２２に、ブザーなどの水質報知手段２８を設けている。
【０１１６】
そして、水処理装置１Ｅは、浄水導電率Ｐ０が所定の範囲を設けて記憶されており、浄水導電率センサ１４（上記第５実施形態に示す電解槽１７の電極１７ｂ、１７ｄでもよい）により検知される実浄水導電率Ｐが浄水導電率Ｐ０の範囲に該当したとき、制御部２４が水質報知手段２８を作動させるようになっている。こうして、水質が変化して所望の水質になったことを水処理装置１Ｅの使用者に知らせるようにしている。
【０１１７】
なお、水質報知手段２８は、ブザーのように聴覚的に報知するもの以外に、ＬＥＤなどの視覚的に報知するもの、または聴覚と視覚の両方で報知するものであってもよい。
【０１１８】
また、本実施形態では、浄水導電率センサ１４からアルカリイオン水吐出口２２ａまでの浄水路内容積Ｑ０を予め求めて制御部２４に記憶させておき、浄水導電率センサ１４が報知する実浄水導電率Ｐが浄水導電率Ｐ０の範囲に入った後の積算流量Ｑを、浄水流量センサ１５が検知した流量から演算して求め、積算流量Ｑが浄水路内容積Ｑ０以上になったときに水質報知手段２８を作動させるようにするのがより好ましい。
【０１１９】
ナノ濾過フィルタ１１に用いられる逆浸透膜では、装置停止状態の止水時には、逆浸透膜を挟んだ透過側の浄水および濃縮側の濃縮水内に溶存する成分が徐々に拡散して同一濃度になろうとする。したがって、長時間止水状態が継続した場合、濃縮側の水中に濃縮された各種成分のうち、特に透過が比較的容易なイオン成分が透過側で高くなってしまう。このため、本来除去されるはずのイオンが高濃度で透過側に流出し、イオン濃度が高い浄水となってしまう。
【０１２０】
そこで、浄水導電率センサ１４により検知した実浄水導電率Ｐが、予め記憶された浄水導電率Ｐ０になった後、少なくとも浄水導電率センサ１４から水栓部２２のアルカリイオン水吐出口２２ａまでの内部容積以上の水量が放出されるまでの時間が経過した後、または、浄水流量センサ１５で検知された積算流量値の水量が、浄水導電率センサ１４からアルカリイオン水吐出口２２ａまでの内部容積が放出されたことを検知した後に、使用者にアルカリイオン水の水質が使用可能状態になったことを水質報知手段２８で報知するようにするのが好ましい。
【０１２１】
以上の本実施形態によっても、上記第２実施形態と同様の作用、効果を奏することができる。
【０１２２】
また、本実施形態によれば、水質報知手段２８を設けて、浄水水質が予め設定した所定の条件、つまり、アルカリ吐水口２２ａから使用者が選択した本来の水質になるまで放出する条件を達した後に、使用可能であることを報知できるようにしている。そのため、より簡素な構成で使用者が目的の水質になる前の水を誤って使用してしまうのを抑制することができ、目的の水質の水をより安定して得ることができる。
【０１２３】
また、上記第１および第３〜第５実施形態の水処理装置１、１Ｂ、１Ｃ、１Ｄにあっても、本実施形態を適用することが可能である。
【０１２４】
（第７実施形態）
本実施形態にかかる水処理装置１Ｆは、図７に示すように、基本的に上記第２実施形態と同様の構成を備えている。
【０１２５】
すなわち、本実施形態の水処理装置１Ｆも、第１フィルタ５、活性炭フィルタ６および第２フィルタ７を通過して濾過された原水をナノ濾過フィルタ（逆浸透濾過部）１１に供給し、逆浸透膜を透過した浄水を電解槽１７に供給して電気分解を行うことで、アルカリイオン水および酸性水を得るようにしたものである。
【０１２６】
ここで、本実施形態の水処理装置１Ｆが、上記第２実施形態の水処理装置１Ａと主に異なる点は、浄水の水質の制御を電解槽１７の電解電圧値Ｅ０で行うようにしたことにある。
【０１２７】
すなわち、本実施形態の水処理装置１Ｆでは、制御部２４に、予め設定した浄水水質Ｐ０を記憶するとともに、それぞれの浄水水質Ｐ０に対応する電解槽１７の電解電圧値Ｅ０を記憶する第４の記憶手段Ｍ４と、浄水導電率センサ１４で検知された実浄水水質Ｐと予め記憶された浄水水質Ｐ０とを比較演算する第４の比較演算手段ＣＰ４と、浄水導電率センサ１４で検知された実浄水水質Ｐと一致する予め記憶された浄水水質Ｐ０に対応する電解電圧値Ｅ０を電解槽１７の電極１７ｂ、１７ｄに印加する第４の制御手段ＣＴ４と、が設けられている。
【０１２８】
本実施形態では、予め設定した複数の原水導電率Ｔ０（原水水質（ｔ０））に対する電解槽１７の電解電圧値Ｅ０を定め、制御部２４内の第４の記憶手段Ｍ４に記憶させておく。このとき、実際に使用されることが想定される地域の原水導電率Ｔ０の範囲において、所定の範囲を設けた複数の電解電圧値Ｅ０を設定しておくのが好ましい。この原水導電率Ｔ０に対し、ナノ濾過フィルタ１１によって生成可能な浄水導電率Ｐ０は予め実験などによって予測可能であり、この予測される浄水導電率Ｐ０の中で最も最適なｐＨのアルカリイオン水を生成可能な電解電圧値Ｅ０を、それぞれの原水導電率Ｔ０に対して記憶させるようにしている。
【０１２９】
このような水処理装置１Ｆにおいて、水栓部２２の操作パネル２３によってアルカリイオン水を選択した場合には、制御部２４が原水給水弁８を開弁するとともに昇圧ポンプ９を駆動させて、電解槽１７の両電極１７ｂ、１７ｄ間に所定の電圧値を印加する。このとき、原水導電率センサ２５は、第１フィルタ５、活性炭フィルタ６および第２フィルタ７で濾過されてナノ濾過フィルタ１１に導入される直前の原水の導電率（実原水導電率Ｔ）を検知する。
【０１３０】
第４の比較演算手段ＣＰ４は、検知された実原水導電率Ｔと予め記憶された原水導電率Ｔ０とを比較し、一致する原水導電率Ｔ０を選択するとともに、これに対応する値として記憶された電解電圧値Ｅ０を呼び出す。そして、呼び出した電解電圧値Ｅ０に対応する浄水伝導率Ｐ０と浄水導電率センサ１４で検知した実浄水導電率Ｐとを比較する。
【０１３１】
第４の制御手段ＣＴ４は、第４の比較演算手段ＣＰ４の演算結果を受けて、Ｐ＞Ｐ０の場合には、電解電圧値Ｅ０を高めに設定する。これにより、電解槽１７で生成されるアルカリイオン水のｐＨは上昇する。逆に、Ｐ＜Ｐ０の場合には、電解電圧値Ｅ０を低めに設定する。これにより、電解槽１７で生成されるアルカリイオン水のｐＨは低下する。そして、比較結果がＰ＝Ｐ０の場合には、現在の電解電圧値Ｅ０を維持するように制御する。
【０１３２】
この一連の動作により、実浄水導電率Ｐが記憶された浄水導電率Ｐ０に近づき、電極１７ｂ、１７ｄ間に呼び出された電解電圧値Ｅ０が印加された電解槽１７を浄水が通過する際に、所定のｐＨのアルカリイオン水を生成し、水栓部２２のアルカリイオン水吐出口２２ａから吐出させることとなる。
【０１３３】
以上の本実施形態によっても、上記第２実施形態と同様の作用、効果を奏することができる。
【０１３４】
また、本実施形態によれば、選択された水質に応じて電解電圧値Ｅ０を調節するようにしているため、電解槽１７で生成されるアルカリイオン水のｐＨ制御が可能となり、最適なｐＨに調整されたアルカリイオン水をアルカリイオン水吐出口２２ａから吐出させることができるようになる。
【０１３５】
また、上記第１および第３〜第６実施形態の水処理装置１、１Ｂ、１Ｃ、１Ｄ、１Ｅにあっても、本実施形態を適用することが可能である。こうすれば、各実施形態の機能と合わせてアルカリイオン水のｐＨをより最適に制御することができるようになる。
【０１３６】
以上、本発明の好適な実施形態について説明したが、本発明は上記実施形態には限定されず、種々の変形が可能である。
【０１３７】
例えば、上記各実施形態では、水質検知手段として導電率を検知するものを例示したが、これに限らず、総溶解固形分（ＴＤＳ：Total Dissolved Solids）等、他の水質を検知するものを用いてもよい。
【０１３８】
また、電解槽やその他細部のスペック（形状、大きさ、レイアウト等）も適宜に変更可能である。
【符号の説明】
【０１３９】
１、１Ａ、１Ｂ、１Ｃ、１Ｄ、１Ｅ、１Ｆ  水処理装置
１１  ナノ濾過フィルタ（逆浸透濾過部）
１２  濃縮水排水路（濃縮水排出口）
１４  浄水導電率センサ（浄水水質検知手段）
１７  電解槽
１７ｂ  陰極
１７ｄ  陽極
２０  排水調節弁
２３  操作パネル（操作部）
２５  原水導電率センサ（原水水質検知手段）
２６  循環路
２７  循環ポンプ
２８  水質報知手段
Ｍ１  第１の記憶手段
Ｍ２  第２の記憶手段
Ｍ３  第３の記憶手段
Ｍ４  第４の記憶手段
ＣＰ１  第１の比較演算手段
ＣＰ２  第２の比較演算手段
ＣＰ３  第３の比較演算手段
ＣＰ４  第４の比較演算手段
ＣＴ１  第１の制御手段
ＣＴ２  第２の制御手段
ＣＴ３  第３の制御手段
ＣＴ４  第４の制御手段
【図１】
0005417301.tif 000002
【図２】
0005417301.tif 000003
【図３】
0005417301.tif 000004
【図４】
0005417301.tif 000005
【図５】
0005417301.tif 000006
【図６】
0005417301.tif 000007
【図７】
0005417301.tif 000008